Podtech/llm-jp-corpus-v4-ja_patent huggingface dataset:
(57)【要約】【課題】被訓練者が自らレバーを握持した手を動かすように意識することができる上肢運動機能回復装置を提供する。【解決手段】訓練者が左右の上肢で左右のハンドル部２０，３０を個別に動かすことができるが、訓練者が一方の上肢で例えば右ハンドル部２０を動かしても左ハンドル部３０が右ハンドル部２０の動きに追随して動かないように左右のハンドル部２０，３０が独立して回転できるようになっている。【選択図】図１
2009285023.tif 000002
【特許請求の範囲】
【請求項１】
被訓練者が握持する右グリップ部と、
被訓練者が握持する左グリップ部と、
前記右グリップ部が結合する右ハンドル部と、
前記左グリップ部が結合する左ハンドル部と
を含み、
前記右ハンドル部と前記左ハンドル部とはあたかも一体構造であるように関連付けられたことを特徴とする上肢運動機能回復装置。
【請求項２】
前記右グリップ部及び前記左グリップ部はそれぞれ円弧状であり、一方のグリップ部の両端部は他方のグリップ部の両端部に摺動可能に支持されていることを特徴とする請求項１記載の上肢運動機能回復装置。
【発明の詳細な説明】
【技術分野】
【０００１】
この発明は上肢運動機能回復装置に関する。
【背景技術】
【０００２】
従来、脳血管障害や脊椎損傷等により上肢の運動機能が損なわれた人の運動機能を回復させるために機械を用いた機能回復訓練が行われている。従来の上肢運動機能回復装置として、被訓練者に左右のレバーを左右の手でそれぞれ握持させて上肢の機能回復訓練を行うものがある（下記特許文献参照）。
【特許文献１】特表２００７−５２０３１１号公報
【発明の開示】
【発明が解決しようとする課題】
【０００３】
しかし、従来の装置では、左右のレバーがあらかじめ決めたプログラムや正常な運動機能を有する左右いずれかの上肢の動きに従って動くので、被訓練者はレバーの動きに自分の手の動きを従わせるのみで、いわば消極的な訓練を行うだけであった。
【０００４】
本発明の目的は、被訓練者が自らレバーを握持した手を動かすように意識することができる上肢運動機能回復装置を提供することである。
【課題を解決するための手段】
【０００５】
上記課題を解決するため請求項１記載の発明は、被訓練者が握持する右グリップ部と、被訓練者が握持する左グリップ部と、前記右グリップ部が結合する右ハンドル部と、前記左グリップ部が結合する左ハンドル部とを含み、前記右ハンドル部と前記左ハンドル部とはあたかも一体構造であるように関連付けられたことを特徴とする。
【０００６】
請求項２記載の発明は、請求項１記載の上肢運動機能回復装置において、前記右グリップ部及び前記左グリップ部はそれぞれ円弧状であり、一方のグリップ部の両端部は他方のグリップ部の両端部に摺動可能に支持されていることを特徴とする。
【発明の効果】
【０００７】
この発明によれば、人が左右の上肢の動きを意識しながらハンドルを操作することができる。
【発明を実施するための最良の形態】
【０００８】
以下、この発明の実施の形態を図面に基づいて説明する。
【０００９】
図１はこの発明の一実施形態に係る上肢運動機能回復装置の正面図、図２（ａ）は図１のＡ−Ａ線に沿うハンドル部の断面図、図２（ｂ）は図１のＢ−Ｂ線に沿う断面図である。
【００１０】
上肢運動機能回復装置１は肩関節の可動域拡張や屈筋群と伸筋群の協調性の向上等を図るものである。
【００１１】
上肢運動機能回復装置１は環状のハンドル１０とハンドル１０を回転可能に支持する軸受け４０と軸受け４０に連なる中心軸５０とを備えている。中心軸５０は上肢運動機能回復装置１の支持台（図示せず）に支持されている。
【００１２】
ハンドル１０は右ハンドル部２０と左ハンドル部３０とを有する。
【００１３】
左ハンドル部３０は、円弧状のグリップ部（左グリップ部）３２と、左ハンドル部側回転支持部３３と、グリップ部３２と回転支持部３３とを連結するアーム部３４とで構成されている。
【００１４】
右ハンドル部２０は、円弧状のグリップ部（右グリップ部）２２と、右ハンドル部側回転支持部２３と、グリップ部２２と回転支持部２３とを連結するアーム部２４とで構成されている。
【００１５】
グリップ部２２は中空であり、ハンドル部３２の端部３２ａ，３２ｂがグリップ部２２の両端部にそれぞれ摺動可能に挿入され、１つの環状体が形成される。
【００１６】
左ハンドル部側回転支持部３３は円筒状であり、円柱状の右ハンドル部側回転支持部２３を回転可能に支持している。左ハンドル部側回転支持部３３は円筒状の軸受け４０に回転可能に支持されている。
【００１７】
左ハンドル部側回転支持部２３には左ハンドル部側回転支持部３３の端面に摺動可能なフランジ部２５が形成されている。フランジ部２５の外径は左ハンドル部側回転支持部３３の外径より大きい。フランジ部２５は軸受け４０に対して回転可能である。
【００１８】
軸受け４０の端部にはねじ４１により筒状の中心軸５０が固定されている。
【００１９】
上肢運動機能回復装置１は上記のような構成であるので、人が左右の上肢で左右のハンドル部２０，３０を個別に動かすことができるが、訓練者が一方の上肢で例えば右ハンドル部２０を動かしても、左ハンドル部３０が右ハンドル部２０の動きに追随して動くことはない。
【００２０】
人は例えばディスプレイの映像を見ながら右ハンドル部２０と左ハンドル部３０とを動かすことによって機能回復訓練を受ける。両手で握ったハンドル１０を動かすとき、例えば右の上肢を動かせば左の上肢も右の上肢に追随して動くという固定観念を人は持っている。しかし、上肢運動機能回復装置１では、例えば左手の運動機能を損なった人がハンドル１０を動かしたとき、左の上肢を右の上肢の動きに追随させて動かすことができず、右ハンドル部２０だけが動いてしまう。この事態を訓練者自身に認識させて訓練者に左ハンドル３０を右ハンドル２０とあたかも一体であるかのように動かすように仕向けることによって、左ハンドル部３０を動かそうとする脳からの指令を正常に左の上肢に伝達させる新たな伝達経路が形成され、左の上肢の機能の回復を促すことができる。その結果、正常に動かなかった左の上肢の肩関節の可動域が広がったり、屈筋群と伸筋群との協調性が向上したりする。
【００２１】
この実施形態によれば、ハンドル１０を動かすことで人が左右の上肢の動きを意識しながら機能回復訓練を受けることができ、訓練の効果を高めることができる。
【００２２】
なお、上記実施形態では右左のハンドル部２０，３０はそれぞれグリップ部２２，３２を有しているが、グリップ部２２，３２を訓練者の手で掴める程度の大きさにしたり、円弧状のグリップ部２２，３２を省略し、アーム部２４，３４をグリップ部として使用してもよい。
【図面の簡単な説明】
【００２３】
【図１】図１はこの発明の一実施形態に係る上肢運動機能回復装置の正面図である。
【図２】図２（ａ）は図１のＡ−Ａ線に沿うハンドル部の断面図、図２（ｂ）は図１のＢ−Ｂ線に沿う断面図である。
【符号の説明】
【００２４】
１：上肢運動機能回復装置、１０：ハンドル、２０：右ハンドル部、２３，３３：回転支持部、２２，３２：グリップ部、２４，３４：アーム部、３０：左ハンドル部。
【図１】
2009285023.tif 000003
【図２】
2009285023.tif 000004
(57)【要約】【課題】従来のオンロック機構は、前記構造により作業時の本体振動や係合具合が浅いことで、常にオフする方向に付勢しているコイルバネの力により、スライドノブとハウジングに各々形成された凹凸部の枢着が外れ易い場合がある。【解決手段】  上記目的を達成するためには、オンロックするためのスライドノブとハウジングの凹凸部の枢着を、より確実にするための板バネを設けることで可能となる。【選択図】  図３
2009285812.tif 000002
【特許請求の範囲】
【請求項１】
ハウジング後部に装着されたカバー内部に固定されているスイッチと、
該スイッチのレバー部に係合しハウジング内部を摺動するスライドバーと、
該スライドバーに係合しスイッチを常にオフさせるように付勢するコイルバネ及び、コイルバネ係止部材が配設さており、該スイッチを操作するためのスライドノブがスライドバーと連動するようハウジング外周部を摺動可能に装着し、スライドノブに形成された凸部とハウジングに形成された凹部が枢着してオンロックする機構を備えた電動工具において、
スライドノブに装着ができ該スライドノブと一体にハウジング外周を摺動可能な板バネを設けたことを特徴とするスイッチのオンロック機構を有する電動工具。
【発明の詳細な説明】
【技術分野】
【０００１】
本発明は、電動工具を使用する際のスライド式オンロック機構を備えたスイッチに関するものである。
【背景技術】
【０００２】
ハウジング後部に装着されたカバー内部に固定されているスイッチに、該スイッチのレバー部に係合したスライドバーを介し、該スライドバー部近傍に該スイッチを常にオフさせるように付勢するコイルバネ及び、コイルバネ係止部材が配設され、前記スイッチを操作するためのスライドノブがハウジング外周に摺動可能に装着されている。スライドノブには凸部、ハウジングには凹部が各々形成され、コイルバネを圧縮方向に該スライドノブを操作することで、該スライドノブの凸部と該ハウジングの凹部が枢着し、該コイルバネが常にオフする方向に付勢する力でオンロック状態となる構造であるが、作業時の本体振動等で、前記凹凸部の枢着が外れ易い場合があった。
【発明の開示】
【発明が解決しようとする課題】
【０００３】
従来のオンロック機構は、前記構造により作業時の本体振動や係合具合が浅いことで、常にオフする方向に付勢しているコイルバネの力により、スライドノブとハウジングに各々形成された凹凸部の枢着が外れ易い場合がある。本発明は、従来のオンロック機構のスライドノブに板バネを装着することにより、前記スライドノブとハウジングの凹凸部の枢着をより確実にすることが可能となり、連続運転時に不意にスイッチがオフすることを無くすことを目的としている。
【課題を解決するための手段】
【０００４】
上記目的を達成するためには、オンロックするためのスライドノブとハウジングの凹凸部の枢着を、より確実にするための板バネを設けることで可能となる。
【発明の効果】
【０００５】
本発明によれば、板バネを設けることでスライドノブとハウジングの凹凸部の枢着が外れ難い方向へ付勢する力が働くことで、オンロック状態をより確実にすることが可能となるため、不意にスイッチがオフすることなく連続運転時の作業中断が無くなることで、作業効率の向上が図れる。
【発明を実施するための最良の形態】
【０００６】
本発明の実施形態を、電動工具の実施例図面を参照しながら説明する。図１においてスイッチ３がオフ状態を示しており、ハウジング１後部に装着されたカバー２内部に固定されているスイッチ３に、該スイッチ３のレバー３ａに係合されたスライドバー４を介し、スライドノブ５を操作することで、該スイッチ３のオン−オフを行うものである。
図２においてスイッチ３がオン状態を示しており、スライドノブ５をＡ方向に引き、該スライドノブ５に設けられた凸部５ａと該ハウジング１に設けられた凹部１ａによって、常に該スイッチ３をオフするＢ方向に働くコイルバネ６の付勢力により、係合し続けオンロックの状態となる。スイッチ３をオフする際にはスライドノブ５をＣ方向に押すことで、前記スライドノブ５とハウジング１に設けられている凹凸部の枢着が外れ、前記コイルバネ６のＢ方向に働く付勢力によりスイッチ３がオフ（図１の状態）となる。図３において本発明のオンロックスイッチ構造とするため、前記スライドノブ５に板バネ７を装着可能とする凹部５ｂを設け、該スライドノブ５に装着しハウジング１外周と挟持され、該ハウジング１の外周を摺動可能としている。
上記形態のオンロック構造より、スイッチ３をオンさせた際には、コイルバネ６のＢ方向に付勢された力によりスライドノブ５に設けられた凸部５ａと、該ハウジング１に設けられた凹部１ａが枢着し続けると同時に、板バネ７の付勢力により該スライドノブ５の凸部５ａがＤ方向へ付勢され続け、該スライドノブ５とハウジング１に設けられている凹凸部の枢着がより確実となり、不意にスイッチ３がオフすることが無くなり、連続運転等が可能となる。
【図面の簡単な説明】
【０００７】
【図１】従来スイッチ機構のオフ状態を示す構造図。
【図２】従来スイッチ機構のオン状態を示す構造図。
【図３】本発明のスイッチ機構のオンロック状態を示す構造図。
【符号の説明】
【０００８】
１はハウジング、１ａはハウジングの凹部、２はカバー、３はスイッチ、３ａはスイッチのレバー、４はスライドバー、５はスライドノブ、５ａはスライドノブの凸部、５ｂはいたバネ装着用凹部、６はコイルバネ、７は板バネ
【図１】
2009285812.tif 000003
【図２】
2009285812.tif 000004
【図３】
2009285812.tif 000005
(57)【要約】【課題】猫の爪を切る時に、爪の切断面の両端が鋭角にならないように、刃を湾曲にした猫の爪きりを提供する。【解決手段】爪の切断面が湾曲になるように、湾曲にした刃を特徴とする猫の爪切り。【選択図】図１
2009285429.tif 000002
【特許請求の範囲】
【請求項１】
支軸を介した二枚の刃によって爪を切断するために、爪切りの先端部を同一方向に湾曲状に折り曲げたことを特徴とする動物用爪切り。
【発明の詳細な説明】
【技術分野】
【０００１】本発明は、主として猫等の爪を切る時に使用するもので、先端部が湾曲になるように、刃を湾曲にした、猫等の動物用爪切りに関するものである。
【背景技術】
【０００２】近年のペットブームにより、室内で猫等小動物を飼う人が大幅に増えた。特に猫の場合、習性である爪研ぎの動作で、家具やカーテンなどに傷が付く事が飼い主の悩みであった。従来の爪切りは只伸びた爪を切り落とすだけであった。また切断面が直線になるので爪の内部にある血管を傷付けてしまう事があった。
【発明の開示】
【発明が解決しようとする課題】
【０００３】そのために、次のような問題点があった。爪の先端部分は切り落とす事ができても切断面の両端が鋭い角に残ってしまい、爪を切った後も家具やカーテンなどに傷が付きやすかった。また、爪の内部にある血管を傷付けてしまう事もあった。本発明は以上の問題点を解決しようとするものである。
【課題を解決するための手段】
【０００４】支軸を介した二枚の刃の先端部分を、同一方向に、湾曲状に折り曲げ、爪を切断した際、爪の切断部がカーブを描くように、刃を湾曲にした猫の爪切りである。
【発明の効果】
【０００５】爪の切断面が丸くなるので、カーテンやジュータンの生地に切断面の両端がひっかからなくなり生地が破けたり柱に傷がつきにくくなる。また爪の内部にある血管を避けて爪を切断する効果が期待できる。
【発明を実施するための最良の形態】
【０００６】全く同じ湾曲した二枚の刃が交差する。爪の切断面の両端が鋭い角にならずに丸くなる。使用法は従来の爪切りと全く同じである。
【図面の簡単な説明】
【０００７】
【図１】本発明の斜視図
【図２】（ａ）は従来の爪切り  （ｂ）は従来の爪切りによる切断図
【図３】湾曲刃爪切りによる切断図
【符号の説明】
【０００８】１  刃
２  支軸
３  把手
４  ツメ
５  血管部
【図１】
2009285429.tif 000003
【図２】
2009285429.tif 000004
【図３】
2009285429.tif 000005
(57)【要約】【課題】    必要量以上の洗剤を使わないで済むことにより、節水に繋がる丈夫なネットクリーナーを提供する。【解決手段】  ボディータオルを３重か４重にしてずれない様に縫って、化繊の網袋に入れ袋の口を閉じた、ボディータオルを入れることにより洗剤の使用量を減らせ、丈夫になったことを特徴とする、ネットクリーナー。【選択図】図１
2009285428.tif 000002
【特許請求の範囲】
【請求項１】
化繊の網袋を設け、袋の中に化繊のボディータオルを３重か４重にして入れ、ずれない様に縫って袋の口を閉じた、ボディータオルを入れることにより、丈夫で泡切れの早くなったことを特徴とする、ネットクリーナー。
【発明の詳細な説明】
【技術分野】
【０００１】  本発明は、食器など汚れを落とす補助具である。
【背景技術】
【０００２】  従来、ネットの中にスポンジを入れた物があるが、使っているうちスポンジがへたり、スポンジに穴が開いて使えなくなるので廃棄し、新たにおろし使っていた。
【発明の開示】
【発明が解決しようとする課題】
【０００３】  そのために、次のような問題点があった。
（１）スポンジがへたると使いにくくなり、汚れが落ちにくくなる。
（２）ほぼ毎日使うもので対応年数が短くごみになりやすい。
（３）スポンジは吸水性に優れており、必要量以上に洗剤を吸ってしまう。
本発明は、以上の問題点を解決するために成されたものである。
【課題を解決するための手段】
【０００４】  化繊の網袋（１）を設け、袋の中に化繊のボディータオル（２）を３重か４重にして入れ、ずれない様に縫って袋の口を閉じる。
【発明の効果】
【０００５】（１）  本発明は、従来のスポンジを網に入れたものに遜色なく、丈夫で長期に亘り使え        るので経済的、且つごみの減量に繋がる。
（２）  本発明は、必要量以上の洗剤を使わなくて済むので、泡切れが早く意識せずに節        水に繋がる。
【発明を実施するための最良の形態】
【０００６】  以下、本発明の実施の形態を説明する。
（イ）化学繊維等を主材とし、網袋（１）を設ける。
（ロ）化学繊維等を主材としボディータオル（２）を設け、３重あるいは４重前後に重ね      袋に入れ、ずれない様に縫って口を閉じる。
本発明は、以上のような構成より成っている。
本発明を使用する時は、洗剤などを適量つけて洗う。
【図面の簡単な説明】
【０００７】
【図１】  本発明の斜視図
【図２】  本発明の側面図
【符号の説明】
【０００８】  １  網袋
２  ボディータオル
【図１】
2009285428.tif 000003
【図２】
2009285428.tif 000004
(57)【要約】      （修正有）【課題】乗り物の来る間の時間や人との待ち合せの時間などに、その場で腰掛ける場所を簡便に作り出す。【解決手段】いつも持ち歩く袋物の底に軽くて丈夫なお尻を置くことの出来るふた付の箱１を袋３の中に入れて持ち運び可能な椅子とする。ふたをあければ物入になりマイバックとしても便利。【選択図】図１
2009285443.tif 000002
【特許請求の範囲】
【請求項１】
軽くて丈夫な素材ハッポースチロール・ダンボール・プラスチッチ・スチールなどで作ったお尻を置くことの出来る箱で、買物袋・ハンドバック・手さげ袋の中に入れられることを特長とした持ち運びの出来る袋物用腰掛椅子箱。
【請求項２】
箱の形は長四角やこのみの形に作り、箱のふたはお尻を置く板になるので少しのクッションをほどこし、箱の強度を高めることとお尻を置くふたがそらないためふたの下の両サイドにふたのうけ板をかね箱にうちつけることを特長とした請求項１に記載の持ち運びの出来る袋物用腰掛椅子箱。
【請求項３】
この箱は袋の中に入れるだけでなく箱の上部に直節袋を取りつけることを特長とした請求項１記載の持ち運びの出来る袋物用腰掛椅子箱。
【発明の詳細な説明】
【技術分野】
【０００１】  本発明は老人が外出した時長時間待ち合せで待ったりバスを待ったりした時立ちつづける事は大変苦痛であり何か敷物を敷いてでも座りたいと考へる、小さい椅子を持って歩く人もあるが荷物になって大変である。
【背景技術】
【０００２】  老人である私は外出の時いつも地べたにすわれられるよう布や新聞紙を持って出ているが地べたにぺたんとおしりをついて座るのは足の関節がいたくなやみである。どんなにひくくてもいいからおしりをおく所はないかとさがしている。
【発明の開示】
【発明が解決しようとする課題】
【０００３】  いつもかならず持っている袋物のそこにかるくて丈夫なおしりを置くことの出来る物入れ兼箱を入れて持ち歩いてはどうかと考へた
【課題を解決するための手段】
【０００４】  箱はつぶれないよう図２の２のように四角い角にはしっかり固定した小さいふた２を両さいどに張りつける。そしてその上に箱全体がかぶる板のようなふたを取りつける。そして図１のように袋の中に入れて使用することを考へた。【０００５】この腰掛椅子箱の素材をあみ籠・スチール・プラスチックなどにした時は直節その上部に袋を取り付ける（図３参照）こととする。
【発明の効果】
【０００６】  マイバックを利用することが多くなった今日、重い食品を運ぶにはしっかりしている底は安定していて心配なく持ち運べ、動いと思った時どこにでも安心して置くことが出来るのでうれしい。【０００７】あみ籠・スチール・プラスチックなどで下部を作りその上部を袋物にした場合のひもを少し長くして肩にかけて持てるようにすれば腰掛椅子箱としてだけでなく広くマイバックとしても利用出来る
【発明を実施するための最良の形態】
【０００８】  この腰掛椅子箱は自由に取り出して、利用する袋に入れれば一ケでいつも利用出来る。箱の大きさ高さなど利用する人のこのみによって大小色々な形にし目的にそってえらぶこととする
【実施例】この腰掛椅子箱は椅子として使わない時は取り出したり出来る、又買物袋として使用する時は、ふたを開け横の側面に入れておく
【図面の簡単な説明】
【図１】椅子箱を袋に入れた図
【図２】椅子になる箱
【図３】椅子箱の上部に直節袋を取りつけた図
【符号の説明】
１  椅子になる箱
２  箱を丈夫くするふた兼補強板
３  袋物・手さげ・マイバックの所
４  お尻を置く板になるふた箱全体にかぶせる
５  お尻をおくふた少しのクッションをつけた図
【図１】
2009285443.tif 000003
【図２】
2009285443.tif 000004
【図３】
2009285443.tif 000005
(57)【要約】【課題】従来は家庭内でクッションとして使用し、又緊急災害時は身近なクッションが防災ズキンと使用できる子供から高齢者までファッション性のある便利なクッションと防災ズキンを提供する事を目的とする。【解決手段】クッションと兼用できる防災ズキンで、常時家庭内でソファーに座っているときはクッションとして利用しそのクッションの内部２側面中央部に分割し、分割した縁にマジックテープ又はスライドファスナー、紐を設け、分割した内部に救急用品、火災時のためにマスク、手ぬぐい、手袋などを入れるポケットを左右に数個を設け、常時身近にあるクッションとして使用し、災害時には、瞬時にマジックテープ又はスライドファスナー、紐を開いて、防災ズキンとして頭にかぶり上半身を保護するように設けたものである。【選択図】図１
2009285440.tif 000002
【特許請求の範囲】
【請求項１】
従来はソファーなどでクッションとして使用し緊急災害時には瞬時に防災ズキンとして身体の上半身を守る事を特徴とするクッション兼用防災ズキン。
【請求項２】
クッションの２側面部の中心部に切り込みを設け、ファスナー又はマジックテープ、紐等を設けて開閉可能にし、緊急時に開けて頭部を挿入し、頭部と肩部を災害時家具等の落下から守る請求項１記載のクッション兼用防災ズキン。
【発明の詳細な説明】
【技術分野】
【０００１】  本発明は、家庭内で常時使用するクッションに地震、火災等の災害時に役立つ防災ズキンの機能をもたせたクッションと防災頭巾に関するものである。
【背景技術】
【０００２】  従来から一般家庭では、何らかの形で地震あるいは火災など災害に備えて防災ズキン等を準備している学校、幼稚園、老人ホーム、家庭等は備えているのが常識になっている、しかし、一般の家庭の居間のソファーには必ずクッションが使用されているが、防災ズキンは、入り口などドアーの近くか、一定の決められた場所に設置されており、緊急の地震、火災等の災害時には居場所から離れたところにあり、とっさには間に合わないのが現状であり、あまり緊急に対する対策はなされてない。
【特許文献１】  特開２００６−３１２００４号  公報
【発明の開示】
【発明が解決しようとする課題】
【０００３】  それには次のような問題点があった。
上述したように、地震、火災等緊急時に防災ズキンは家庭内の一定の場所に設置されており、身近に無い、又は動揺で慌てるために瞬時には防災ズキンを取れなく、又地震などでゆれの大きいときなどは、設置場所まで移動する事が出来ない等、間に合わなくなる恐れがある。家庭内では常時身近に置き、クッションとして使用しながら、災害のとき瞬時に対応出来るなど、従来の構成が有していた問題を解決するのを目的としている。
【課題を解決するための手段】
【０００４】  本発明は、上記目的を達成するために、クッションと兼用できる防災ズキンで、常時家庭内でソファーに座っているときはクッションとして利用しそのクッションの内部に、救急用品、火災時のためにマスク、手ぬぐい、手袋などを入れるポケットを数個を設け、常時身近にあるクッションとして使用し、災害時には、瞬時にマジックテープ又はスライドファスナー、紐を開いて、防災ズキンとして頭にかぶり上半身を保護するように設けたものである。
【発明の効果】
【０００５】  本発明のクッション兼用防災ズキンのマジックテープ又はスライドファスナー、紐を閉じればクッションとして使用でき、マジックテープ又はスライドファスナー、紐を開けば、災害の緊急時に瞬時に防災ズキンとして役に立ち、ポケットを設けることで緊急に必要な最低限の救急用品等も常備できるクッション兼用防災ズキン提供できる効果が期待できる。
【発明を実施するための最良の形態】
【０００６】以下、本発明の実施の形態を説明する。
本発明は、上記目的を達成するために、クッションと兼用防災ズキン１で、常時家庭内でソファーに座っているときはクッションとして利用しそのクッションの内部に、救急用品、火災時のためにマスク、手ぬぐい、手袋などを入れるポケット２を頭部に邪魔にならない適所に数個設け、マジックテープ又はスライドファスナー、紐３を閉めて常時身近にあるクッションとして使用し、災害時には、瞬時にマジックテープ又はスライドファスナー３を開いて防災ズキンとして頭にかぶり上半身等を保護する。
本発明は、以上の構成よりなっている。
【図面の簡単な説明】
【０００７】
【図１】  本発明のクッション兼用防災ズキンの斜視図。
【図２】  本発明のクッションとして使用している場合の正面図。
【図３】  本発明のクッションとして使用している場合の平面図。
【図４】  本発明のクッションとして使用している場合の左側面図。
【図５】  本発明の防災ズキンとして使用する場合の正面図。
【図６】  本発明の防災ズキンとして使用する場合の開いた正面図。
【符号の説明】
【０００８】  １  クッション兼用防災ズキン
２  ポケット
３  マジックテープ又はスライドファスナー、紐
４  肩を防護具
５  紐
【図１】
2009285440.tif 000003
【図２】
2009285440.tif 000004
【図３】
2009285440.tif 000005
【図４】
2009285440.tif 000006
【図５】
2009285440.tif 000007
【図６】
2009285440.tif 000008
(57)【要約】【課題】  腕輪を装着する時に、腕輪の金具を容易に取り付けることが出来る為の、クリップと伸縮バンドが付いた腕輪留め補助具を提供する。【解決手段】  挟み部の付いたクリップに、伸縮自由な伸縮バンドを取り付けたことを特徴とする腕輪留め補助具。【選択図】図１
2009285437.tif 000002
【特許請求の範囲】
【請求項１】
挟み部の付いたクリップに、伸縮自由な伸縮バンドを取り付けたことを特徴とする腕輪留め補助具。
【発明の詳細な説明】
【技術分野】
【０００１】  本発明は、腕輪を装着する時に、腕輪の金具を容易に取り付けることが出来る為の、クリップと伸縮バンドが付いた腕輪留め補助具である。
【背景技術】
【０００２】  従来は、腕輪を１人で装着する時に、どうしても空いている片方の手だけで金具を留める為に、金具の位置が定まらず腕輪が手首から滑り落ちるなどして、１度で装着することが難しかった。
【発明の開示】
【発明が解決しようとする課題】
【０００３】  そのために、次のような問題点があった。
（イ）１人では、なかなか装着できないので、周りにいる人に頼んで金具を留めてもらった。
（ロ）急いでいる時は、何度か装着を試してみて出来ない場合は、腕輪の装着をあきらめた。
本発明は以上の問題点を解決しようとするものである。
【問題を解決するための手段】
【０００４】  挟み部の付いたクリップに、伸縮自由な伸縮バンドを取り付けたことを特徴とする腕輪留め補助具である。
【発明の効果】
【０００５】  本発明を使用することにより、腕輪を装着する時に片手でも簡単に金具を留めることができ、装着時間も大幅に短縮することができる。
【発明を実施するための最良の形態】
【０００６】  以下、本発明の実施の形態を説明する。
（イ）支点軸（３）によりクッション（４）が付いた挟み部（６）が開閉するクリップ（１）を設ける。
（ロ）クリップ（１）の取付け具（５）により伸縮バンド（２）を固定する。
本発明は、以上の構成よりなっている。
本発明を使用するときは、クリップ（１）の挟み部（６）に腕輪（７）の片側である金具（８ａ）を垂直に挟む。腕輪（７）の金具（８ａ）を挟んだ状態で、腕輪（７）を着けたい方の手首（１０）に伸縮バンド（２）を通す。クリップ（１）で伸縮バンド（２）と腕輪（７）が一体になっているため、腕輪（７）の金具（８ａ）が手首（１０）の一箇所で固定された状態になる。固定された状態の金具（８ａ）に、腕輪（７）の反対側の金具（８ｂ）を空いている片方の指先（９）で留める。腕輪（７）の金具（８ａ）と金具（８ｂ）が結合されたのを確認して、腕輪（７）からクリップ（１）の挟み部（６）を外して伸縮バンド（２）を手首（１０）から抜き取る。腕輪（７）が手首（１０）に装着される。
【図面の簡単な説明】
【０００７】
【図１】本発明の斜視図
【図２】本発明の正面図
【図３】本発明の側面図
【図４】本発明の使用状態を示す斜視図
【図５】本発明により腕輪が固定された状態を示す正面図
【図６】本発明が装着された状態を示す正面図
【図７】本発明により腕輪が装着された正面図
【符号の説明】
【０００８】    １  クリップ
２  伸縮バンド
３  支点軸
４  クッション
５  取付け具
６  挟み部
７  腕輪
８ａ金具
８ｂ金具
９  指先
１０  手首
【図１】
2009285437.tif 000003
【図２】
2009285437.tif 000004
【図３】
2009285437.tif 000005
【図４】
2009285437.tif 000006
【図５】
2009285437.tif 000007
【図６】
2009285437.tif 000008
【図７】
2009285437.tif 000009
(57)【要約】【課題】炊飯器、お釜、おしつ等、ご飯を炊いた後に、内部に溜まる水蒸気が冷える際に内部に水滴が溜まりご飯が水分を含み、美味しいご飯が食べられないため、美味しく食べられる水滴をとる中仕切板又は金属球を提供する。【解決手段】炊飯器、お釜、おしつ等、ご飯を炊いた後に、内部に溜まる水蒸気が冷えて水滴が内部に溜まるのを防ぐ為に、炊いたご飯の上部に、円形、正方形、長方形、楕円形、三角などの各種形状の小さな容器に、非金属、金属の中仕切板又は金属球を入れて、水蒸気の水滴を吸着させて水分を抜きご飯が美味しく食べられる事を特徴とする水滴を取る中仕切板・金属球。【選択図】図１
2009285439.tif 000002
【特許請求の範囲】
【請求項１】
炊飯器、お釜、おしつ等ご飯を炊いた後のご飯の上部に、水滴、水分をとる非金属、金属の各種中仕切板又は金属球を円形、正方形、楕円、三角形等の各種形状の小さな容器の中にいれ、その容器を炊飯器で炊けたご飯の上部に置き炊飯器の蓋を閉め、冷える際に発生する水滴を吸着する事を特徴とする水滴をとる中仕切板・金属球。
【請求項２】
炊飯器、お釜、おしつ等ご飯の上部に小さな樹脂製の各種容器に、非金属、金属の中仕切板、又は金属球をいれ、ご飯の冷えるときに発生する水蒸気を吸収して水滴を取り、ご飯を水っぽくなく、美味しく食べられる事を特徴とする請求項１記載の水滴をとる中仕切、板又は金属球である。
【請求項３】
小さな各種容器の中に非金属、金属の中仕切板あるいは金属球をいれたことで，湿気をきらう容器内の水分を吸収する利点を生かし、あらゆる容器内の冷える際に発生する水分を吸収することを特徴とする水滴をとる中仕切板・金属球。
【発明の詳細な説明】
【技術分野】
【０００１】  本発明は、弁当箱、パック料理等の冷えるときに発生する水滴を除去する金属板又は金属球に関する。
【背景技術】
【０００２】  従来は、炊飯器、保温ジャー、弁当箱、重箱、パック料理等の料理において、ご飯又は、料理が冷めるときに内側内部にご飯から発生する水蒸気が、炊飯器、重箱、弁当箱等内部にこもり蓋や容器の内側等に水滴として溜まり、その水滴が容器内のご飯に付着して、食べ物と接している部分が水っぽく、べたついたり、味のうまみ、食感をそこねている状態であるが、これらを解決する良い方法などはあまり見当たらない。しかし、近年、関連ある特許が公開されているものがある。
【特許文献１】  特開２００５−１１０７３４号公報
【発明の開示】
【発明が解決しようとする課題】
【０００３】  炊飯器等でご飯を炊いた後に、又は、重箱、弁当箱等の容器にご飯を詰め蓋を閉める、容器内はご飯が冷えると容器の側面や底に水滴が溜まりやすく、ご飯がその水滴をふくんで、水っぽく、べたべたして、食感が損なわれるため、美味しいご飯が食べられない。
本発明は、これらの問題を解決するためになされたものである。
【問題を解決するための手段】
【０００４】  本発明は、炊飯器でご飯を炊いた後に、炊飯器内、保温ジャー、弁当箱、重箱のご飯の上部に、又は、パック料理の中に水滴、水分を吸収する非金属、金属の各種仕切板又は金属球を円形、正方形、楕円、三角形等の各種形状の樹脂製の容器を炊飯器、弁当箱、重箱等のご飯の蓋との中間の空いたスペースに入る小さな容器を設けてご飯等の上に置く、これにより炊飯器、弁当箱等の内部の水蒸気が冷える際に発生する水滴を金属板に付着させ、水分を含まない美味しいご飯を炊くことを目的とする。
【発明の効果】
【０００５】  炊飯器等で炊いたご飯の上部に樹脂製の小さな各種容器の中に非・金属の中仕切板又は金属球を入れる事で，炊飯器等の水蒸気が冷えるときに発生する水滴を吸着してご飯が水っぽくなく、美味しく食する事が出来る効果が期待できる。
【発明を実施するための最良の形態】
【０００６】  以下、本発明の実施の形態を説明する。
炊飯器でご飯を炊いた後に、炊飯器、保温ジャー、弁当箱、重箱等１のご飯の上部２、又は、パック料理の中に水滴、水分を吸収する非金属、金属の各種中仕切板３又は金属球４を入れた円形、正方形、楕円、三角形等の各種形状の小さな樹脂製の容器５設け、その小さな樹脂製の容器５を炊飯器、弁当箱、重箱等１のご飯６と蓋７の中間の空いたスペース８に挿入する。これにより炊飯器等の内部の水蒸気９が冷える際に発生する水滴１０を金属板３又は金属球４に付着させ、水分を含まない美味しいご飯を炊き、食することを目的とする。
【図面の簡単な説明】
【００１１】
【図１】  炊飯器の中に樹脂容器に金属球を入れた断面図。
【図２】  樹脂容器の正面図。
【図３】  樹脂容器の平面図。
【図４】  樹脂容器本に仕切板を設けた斜視図。
【図５】  中仕切板（非金属，金属）。
【図６】  他の中仕切板一例。
【図７】  中仕切り切込み図。
【図８】  金属球。
【符号の説明】
【０００８】    １  炊飯器・弁当箱等
２  ご飯の上部
３  中仕切板（非金属、金属）
４  金属球
５  各種形状の樹脂製容器
６  ご飯
７  蓋
８  スペース
９  水蒸気
１０  水滴
【図１】
2009285439.tif 000003
【図２】
2009285439.tif 000004
【図３】
2009285439.tif 000005
【図４】
2009285439.tif 000006
【図５】
2009285439.tif 000007
【図６】
2009285439.tif 000008
【図７】
2009285439.tif 000009
【図８】
2009285439.tif 000010
(57)【要約】【課題】  赤ちゃんをおんぶ（抱っこ）から下ろした時、そのままお昼寝しやすいように、赤ちゃんの体を平らな布で包み、止め具でとめ、ショルダ−ベルトを設けたフルフラット子守帯を提供する。【解決手段】  赤ちゃんの体を包む布Ａ（１）の右端と左端に、左右を合わせる止め具Ａ（２）を設け、布Ａ（１）の上下にショルダ−ベルト（３）を設け、布Ａ（１）の上部に、布Ｂ（４）を設け、布Ｂ（４）の上の一辺に、真ん中から合わせる止め具Ｂ（５）を設けたフルフラット子守帯を特徴とする。【選択図】図１
2009285438.tif 000002
【特許請求の範囲】
【請求項１】
（イ）赤ちゃんの体を包む布Ａ（１）の右端と左端に、左右を合わせる止め具Ａ（２）を設ける。
（ロ）布Ａ（１）の上下に、ショルダ−ベルト（３）を設ける。
（ハ）布Ａ（１）の上部に、布Ｂ（４）を設ける。
（ニ）布Ｂ（４）の上の一辺に、真ん中から合わせる止め具Ｂ（５）を設ける。
以上の構成よりなる、フルフラット子守帯。
【発明の詳細な説明】
【技術分野】
【０００１】  この発明は、赤ちゃんの体を布で包み、止め具で止め、ショルダ−ベルトを設けた、フルフラット子守帯に関するものである。
【技術背景】
【０００２】  従来、子守帯の形は立体的だった。
従来、子守帯を広げたときには凹凸があった。
従来、スリング式子守帯は抱っこに用いられていた。
【発明の開示】
【発明が解決しようとする課題】
【０００３】  これは、次のような欠点があった。
従来、子守帯は形が立体的で凹凸があるため、広げたときに平らにはならなかった。
そのため、眠ってしまった赤ちゃんを下ろした時、そのまま寝かせると眠りづらく、子守帯を外そうとすると目が覚めてしまうことが多かった。
スリング式のものは、抱っこは容易にできるものの、おんぶをするのは難しく、家事を行うときに手が空かなかった。
本発明は、以上のような欠点をなくすためになされたものである。
【課題を解決するための手段】
【０００４】  赤ちゃんの体を包む布Ａ（１）の右端と左端に、左右を合わせる止め具Ａ（２）を設ける。
布Ａ（１）の上下にショルダ−ベルト（３）を設ける。
布Ａ（１）の上部に、布Ｂ（４）を設ける。
布Ｂ（４）の上の一辺に、真ん中から合わせる止め具Ｂ（５）を設ける。
本発明は、以上の構成よりなるフルフラット子守帯である。
【発明の効果】
【０００５】  赤ちゃんの体を平らな布で包む構造なため、おんぶ（抱っこ）中に赤ちゃんが眠ってしまった場合でも、布団に下ろして広げると、子守帯がフルフラットなお昼寝スペ−スとなり、赤ちゃんの目を覚まさずにそのまま寝かせることができる。
さらに、抱っこだけでなくおんぶにも使えるため、両手が使えて家事が行いやすい。
【発明を実施するための最良の形態】
【０００６】  以下、本発明を実施するための最良の形態について説明する。
赤ちゃんを平らな布Ａ（１）の上にあおむけで寝かせ、胴体を左右から包み、右端と左端を合わせるようにファスナ−の止め具（２）を設けて開閉できるようにする。
布Ａ（１）の上下にはショルダ−ベルト（３）を設け、縦だきでは両肩掛け、横抱きでは２本たすき掛けで使用する。
布Ａ（１）の上部には、布Ｂ（４）を設け、布Ｂ（４）の上の一辺には、真ん中から合わせられるようにスナップボタンの止め具（５）を設けてフ−ドとする。
子守帯本体の内部には背あてシ−ト（６）を設け、背あてシ−トの頭部には、取り外し可能な頭部保護クッション（７）を設ける。
本発明は、以上のような構造である。
【図面の簡単な説明】
【０００７】
【図１】  本発明の展開した状態を示した説明図である。
【図２】  本発明の展開した状態を示した説明図である。
【図３】  本発明の使用状態を示した説明図である。
【図４】  本発明の横抱きの使用状態を示した説明図である。
【図５】  本発明のおんぶした使用状態を示した説明図である。
【図６】  本発明のおんぶした使用状態を示した説明図である。
【符号の説明】
【０００８】１  布Ａ
２  止め具Ａ
３  ショルダ−ベルト
４  布Ｂ
５  止め具Ｂ
６  背あてシ−ト
７  頭部保護クッション
【図１】
2009285438.tif 000003
【図２】
2009285438.tif 000004
【図３】
2009285438.tif 000005
【図４】
2009285438.tif 000006
【図５】
2009285438.tif 000007
【図６】
2009285438.tif 000008
(57)【要約】【課題】  傘や杖など自立的に立つことのできない棒状のものを、少々不安定なところにも自立的に立たせること。【解決手段】  コンパクトにたためる補助器具を装着、あるいははじめから付いたデザインにすることによって、この課題を解決する。その装置は、傘の親骨に装着し、器具の一部を折り曲げることで、脚を作り、三脚式にバランスをとって、自立的に傘を立たせる。【選択図】図１
2009285434.tif 000002
【特許請求の範囲】
【請求項１】
棒状で自立的に立たせることができないもの、主に傘を、それに装着し、装着した器具の一部を足代わりにすることでバランスをとって自立的に立たせることを特徴とする器具。
【請求項２】
請求項１記載の器具が装着式ではなく、はじめから傘のような棒状のものに付いていることを特徴とするデザイン。
【発明の詳細な説明】
【技術分野】
【０００１】  本発明は、傘や杖のような棒状のものを自立的に立たせるデザインおよび装着型の器具である。
【背景技術】
【０００２】  従来のデザインには、トップが三つ又に分かれている、あるいは平たくなっており、自立させることのできる傘がある。単純なデザインで、便利ではあるが、室内かプラットホームといった平らで水平な所でしか安定的に立たせることが出来ない。また、傘立てがあっても入れにくく、ましてやスーパーの傘袋や自転車などにある傘ポケットには入れられないという難点がある。
【非特許文献１】商品名Ｓｔａｎｄ  Ｕｍｂｒｅｌｌａ（１００％Ｉｎｃ．）
【特許文献１】登録実用新案第３１１９４９０号公報
【０００３】  傘のトップが操作すると開いて、三つ又あるいはそれ以上に分岐し自立できる傘のデザインが公開されている。前記のデザインの問題を解決していると思われるが、構造が複雑で、製造が難しく、同様に不安定なところに安定的に立たせるのは困難だと思われる。
【特許文献３】特許公開平１０−２２５３１２号公報
【特許文献４】特許公開平１０−１３７０１８号公報
【特許文献５】特許公開平１０−０９９１１５号公報
【発明の開示】
【発明が解決しようとする課題】
【０００４】  従来のデザインでは困難であった、芝生や砂利のある公園のような不安定な所にも安定して立てられ、例えば電車の中のような少々振動があるところでも簡単には倒れないようにすることを課題とする。【０００５】  さらに、構造は単純で、安価で簡単に製作できるデザインとする。【０００６】  また、すでに傘を持っている人は、高価な特殊デザインの傘を買いなおさなくてよいようにする。
【課題を解決するための手段】
【０００７】  傘を閉じたときもスレンダーなデザインで、傘入れに入れることもでき、少々不安定な地面でも、簡単に足元に置いておける形態を考案した。それは２本に分かれ、一方を折り曲げると、左右に開く形状をしており（図２）、三脚式にバランスをとって傘を立たせることができる（図１）。構造は単純で、素材しだいで軽く製造できるものと思われる。【０００８】  装着型のものであれば、１（図３）をトップにくくりつけ、２（図４）をチップにはめ込み、現在所持している傘に装着する。これだと傘を買いなおす必要が無い。ダボの位置で折れるので、このまま傘を開いたり閉じたりでき、そのままベルトでとめることもできるので（図５）、使わない時も装着したままで良い。
【発明の効果】
【０００９】  本発明により、少々不安定なところにも傘を自立的に立てることができるようになる。単純な構造なので、安価に製造できる。利用する側も、現在ある傘に装着でき、安価で利用できる。傘立てやスーパーの傘袋も利用できる。デザインがよければお洒落にもなると思われる。杖など別の棒状のものにも応用できる（図７）。
【発明を実施するための最良の形態】
【００１０】  装着型は、１をトップに固定し（図３）、２をチップに差し込み（図４）、傘の親骨にこの装置を固定する（図５）。一体型のものであれば、親骨がこの装置の１〜２にあたる。傘を立てるときは、３をはずし、５を折り曲げ（図２）、４に３を引っかけて固定する（図６）。５は、折り曲げると左右に開いて（図２）、二つの足になり、三脚式に傘を支える（図１）。
【実施例】
【００１１】  図１（Ａ）は、本発明器具の１実施例である。図１（Ｂ）は、この器具のみ。【００１２】  図７は、杖に利用したものである。２の形状を変えることで、杖にも応用できる。【００１３】  一体型は、１から２の主軸が、傘の親骨にあたり、同様の構造で、傘を支える。
【産業上の利用可能性】
【００１４】  本発明は、構造が単純なので、量産でき、製造コストも低減できる。消費者も傘を買い直さなくてよい。また傘以外にも応用できる。
【図面の簡単な説明】
【００１５】
【図１】携帯傘立ての実施方法を示した説明図（Ａ）。（実施例１）携帯傘立ての全体図（Ｂ）。
【図２】携帯傘立ての構成部分の一部を支柱から外した状態の図。
【図３】トップに取り付ける部分の拡大図。
【図４】チップに取り付ける部分の拡大図。
【図５】開いた傘に装着したとき（Ａ）（Ｂ）と、携帯傘立てを装着した状態で閉じた傘の図（Ｃ）。
【図６】フックを引っかける部分の拡大図。
【図７】応用例として杖に取り付けた図。
【符号の説明】
【００１６】１    トップに取り付けるためのバンド。
２    チップにはめ込むコの字型部品。
３    フック。
４    ３をひっかける型。
５    脚部。
【図１】
2009285434.tif 000003
【図２】
2009285434.tif 000004
【図３】
2009285434.tif 000005
【図４】
2009285434.tif 000006
【図５】
2009285434.tif 000007
【図６】
2009285434.tif 000008
【図７】
2009285434.tif 000009
(57)【要約】      （修正有）【課題】帯状の凸面を有する脱落防止装置を、総入れ歯製造時に造っておくために、食物を噛む時や大きな口を開ける時も唇の筋肉の圧力を利用して総入れ歯が歯ぐきから脱落する事を防止する。【解決手段】帯状の凸面を有する総入れ歯脱落防止装置１付き総入れ歯２を使用することにより、食物を噛む時、大きな口を開く時にも、総入れ歯が脱落しないように、上下の唇の筋肉の圧力を利用して、総入れ歯を脱落防止する装置であり、帯状の凸面を有する総入れ歯脱落防止装置により、総入れ歯の脱落を簡単に解決する事が出来る。【選択図】図１
2009285432.tif 000002
【特許請求の範囲】
【請求項１】
総入れ歯の入れ歯は、本発明による帯状の凸面を有する脱落防止装置付き総入れ歯とする事により、上下どちらの総入れ歯をこの様な装置付きにすることで、上下の層の筋肉が伸びる事による圧力を利用し、自然に押さえ込み、総入れ歯を脱落防止する事ができる総入れ歯である。本発明は、整理番号Ａ２００８−０１、受付番号２０８００５８００７７、出願番号特願２００８−１１３１５２に関連する発明である。
【発明の詳細な説明】
【技術分野】
【０００１】本発明は、総入れ歯の場合、帯状の凸面を有する脱落防止装置付き総入れ歯を口内に装着する事により、唇の筋肉の拡張圧力を利用して總入れ歯の脱落を防止することに関するものである。
【背景技術】
【０００２】  従来の総入れ歯は、どのような入れ歯安定剤を使用しても噛む力は増すものの、大きな口を開けた場合や食物を噛む時、上下の顎が開いた時点で、総入れ歯が脱落する事がしばしばである。安定剤は噛む時のクッションにはなるが、総入れ歯を脱落から防ぐ事は不可能であり、脱落した入れ歯は噛む時に歯ぐきを痛めるため、食物は柔らかい物か流動食しか安心して食べる外は、硬い物を確実に噛んで食べる事は出来なかった。尚、義歯を顎の骨に埋め込み、総入れ歯を安定する方法や、マグネットを埋め込み安定する方法もあるが、大変高価な費用がかかる難点があった。
【発明の開示】
【発明が解決しようとする課題】
【０００３】  そのために、次のような問題点があった。
総入れ歯の場合、大きな口を開けるにも、食物を噛む時に上下の顎を開いた場合も総入れ歯は、どのような入れ歯安定剤を使用しても、脱落し歯ぐきから外れる欠点があった。他に脱落防止装置には高価な装着方法もあるが、本発明は、総入れ歯製造時に帯状の凸面を有する脱落防止装置を同時に造る事により、安価で簡単に総入れ歯の脱落防止をすることが出来るため、以上の欠点となる問題を解決しようとする発明である。
【課題を解決するための手段】
【０００４】  総入れ歯の脱落を防止するために、本発明は上下の唇の筋肉を利用し、帯状の凸面を有する脱落防止装置を総入れ歯に使用するために、上下の唇の筋肉の圧力を利用して、食物をかむ時、大きな口を開ける時、総入れ歯が脱落する事を防止する手段を持つ特徴を有する発明の装置である。
【発明の効果】
【０００５】  本発明は、総入れ歯に帯状の凸面を有する脱落防止装置を、総入れ歯製造時に造っておくために、食物を噛む時大きな口を開ける時も唇の筋肉の圧力を利用して総入れ歯が歯ぐきから脱落する事を防止する効果があり、従って、本発明により、食物を食べる際、食物を噛む時、大きな口を開け食物を入れる場合も、総入れ歯が脱落する心配がなくなる効果がある。
【発明を実施するための最良の形態】
【０００６】以下、本発明の実施の形態を説明する。
イ  総入れ歯（２）と（３）に脱落防止装置となる帯状の凸面を有する脱落防止装置（１）を入れ歯製造時に造ってあるために、帯状の凸面を脱落防止装置とする。
ロ  総入れ歯（２）と（３）に帯状の凸面を有することにより、口を開けた顔（４）の場合、上下の唇の筋肉が張る方向（５）に働く唇の筋肉の圧力により、総入れ歯の帯状の凸面を有する脱落防止装置（１）が脱落防止装置となり脱落落防止のストッパーの役目をする。
本発明は、以上の構成よりなっている。
本発明は総入れ歯（２）と（３）に脱落防止装置となる帯状の凸面を有する総入れ歯脱落防止装置（１）が入れ歯製造時に造ってあるため、大きく口を開けた顔（４）に示すように、唇の筋肉が張る方向（５）、即ち、点線の矢印の方向に筋肉が張り、その圧力が口内を圧するため、総入れ歯に造られてある帯状の凸面を有する脱落防止装置（１）が圧迫され、脱落防止となるストッパーの役目を果たすので、総入れ歯（２）と（３）は歯ぐきより脱落することなく、安心して食物を噛み、大きな口を開ける事が出来、総入れ歯（２）と（３）は歯ぐきに密着して使用することが出来る。
【図面の簡単な説明】
【０００７】
【図１】本発明の上顎総入れ歯の正面図
【図２】本発明の上顎総入れ歯の横面図
【図３】本発明の下顎総入れ歯の正面図
【図４】本発明の下顎総入れ歯の横面図
【図５】本発明の上顎総入れ歯ＡＡ’の断面図
【図６】本発明の下顎総入れ歯ＢＢ’の断面図
【図７】上下唇の筋肉が張る方向を表す図面
【符号の説明】
【０００８】１帯状の凸面の突起した歯脱落防止装置
２上顎の総入れ歯
３下顎の総入れ歯
４口を開けた顔の一部分
５唇の筋肉が張る方向
【図１】
2009285432.tif 000003
【図２】
2009285432.tif 000004
【図３】
2009285432.tif 000005
【図４】
2009285432.tif 000006
【図５】
2009285432.tif 000007
【図６】
2009285432.tif 000008
【図７】
2009285432.tif 000009
(57)【要約】【課題】  ２階以上の建物火災で、幼児、高齢者、病人等を含む複数の避難者が、迅速且スムーズに避難できる避難ロープを提供する。【解決手段】  速度調速器を介したロープの両端に腋掛けベルトを設け、１方のロープで避難者が降下した時、もう１方のロープが巻き上げられ、交互に上下する事により複数の避難者が迅速に降下避難ができる様にする。【選択図】図１
2009285436.tif 000002
【特許請求の範囲】
【請求項１】
速度調速器を介して垂れ下がったロープ，ワイヤー等の両端に、腋掛けベルトを設け、１方のロープに腋掛けした避難者が降下すると、もう１方の腋掛けベルトを有したロープが巻き上げられ、次の避難者が同様に降下避難ができるものである。両方のロープが交互に上下する事により複数の避難者がスムーズ且つ安全に降下避難できるものである。
【発明の詳細な説明】
【技術分野】
【０００１】本発明は、火災等災害で、２階以上から避難するとき、複数の避難者がスムーズ且つ安全に避難できるためのもので、降下速度調速器を介したロープ，ワイヤー等の両端に腋掛けベルトを設けた防災様避難ロープである。
【背景技術】
【０００２】従来の降下速度調速器付避難ロープは降下のみで、複数の避難者が連続で避難する事が出来ない。
【発明の開示】
【発明が解決しようとする課題】
【０００３】従来、避難方法として避難梯子が使われているが、不安定で使用しにくく、幼児，高齢者，病人や体の不自由な者には使用困難である。【０００４】速度調速器を使った避難ロープはあるが、１度降下式で、複数の避難者が連続避難するのが困難である。
【課題を解決するための手段】
【０００５】降下速度調速器と腋掛けベルトによって、幼児、高齢者、病人等の体力不足の弱者でも、容易に降下避難する事ができるようにした。【０００６】避難ロープが交互に上下する機構にし、避難者が連続して降下できるようにした。
【発明の効果】
【０００７】速度調速器を介したロープが、交互に上下する事により、複数の避難者が連続して避難ができ、腋掛けベルトにより体力不足の弱者でもスムーズ且つ安全に降下する事ができる。構造が簡単で設置が容易である。
以下、本発明の実施形態に付いて説明する。
（イ）速度調速器を介したロープ，ワイヤー等の両端に腋掛けベルトを設ける。
（ロ）速度調速器軸に２本のロープ，ワイヤー等を正，逆に巻き、各ロープにわき掛けベルトを設ける。
【実施例１】
【０００８】
【図面の簡単な説明】
【０００９】
【図１】本発明の全容図である。
【図２】本発明の具体的構造図である。
【図３】本発明の具体的構造図である。
【符号の説明】
【００１０】（１）調速器
（２）降下ロープ
（３）腋掛けベルト
（４）ロープ格納箱
（５）非常開錠取手
【図１】
2009285436.tif 000003
【図２】
2009285436.tif 000004
【図３】
2009285436.tif 000005